(57)【要約】【課題】ユーザーがスライドショーを鑑賞しているとき、特定の画像にズーム操作やアングル調整操作などを施そうとした場合に、ユーザーの意思に反して途中で次画像に切り替わってしまうという不都合を解消する。  【解決手段】表示中の画像にズーム操作やアングル調整操作などを施したとき、当該画像をそれまで表示した経過時間を一旦クリアーし、ズーム表示や回転表示やアングル調整表示が開始された時点から改めて所定の画像表示時間のカウントを開始するようにした画像記録再生装置を提供する。【選択図】  図２
2005277580.tif 000002
【特許請求の範囲】
【請求項１】
縮小表示される画像から複数または一つの画像を選択する画像選択手段と、
当該画像選択手段によって選択された画像を一定時間拡大表示する画像表示手段と、
当該画像表示手段が画像の一定時間拡大表示を開始するごとにカウントを開始する計時手段と、
当該計時手段によるカウントが設定値に達したとき、未表示の選択された画像を検索しこれを当該画像表示手段により一定時間拡大表示させ、未表示の選択された画像がない場合は、画像表示をクリアーする次画像検索手段と、
当該計時手段によるカウントが設定値に達する以前に、表示中の画像に特殊表示操作を行う特殊表示操作手段と、
当該特殊表示操作手段が作動したとき、当該計時手段によるカウントを開始値まで復帰させる計時復帰手段と、
からなる画像記録再生装置。
【請求項２】
当該特殊表示操作手段が、ズーム表示、回転表示、アングル調整表示を行う手段であるようにした請求項1による画像記録再生装置。
【発明の詳細な説明】
【技術分野】
【０００１】
本発明は、複数の画像を一覧縮小表示、いわゆるサムネイル表示するとともに、複数の画像を一定時間間隔で逐次拡大表示、いわゆるスライドショー表示するための画像記録再生装置に関する。
【背景技術】
【０００２】
近年、デジタルカメラなどで撮影した複数の静止画像を電子記録媒体に記録し、当該電子記録媒体に記録された複数の静止画像をＤＶＤなどの画像記録再生装置によりディスプレー画面上にサムネイル表示するとともに、当該サムネイル表示された画像のなかからユーザーが選択した画像を一定時間間隔で拡大表示する、いわゆるスライドショー表示が広く行われている。
【０００３】
上記のスライドショーを行う場合に、ズーム機能やアングル調整機能などの特殊再生機能を備えた画像記録再生装置が存在することも周知の事実である。これらの機能により、ユーザーが上記のスライドショーを鑑賞しているときに、拡大表示された特定の画像にズーム操作を施すことにより当該画像の一部をさらに拡大して鑑賞することができ、また拡大表示された特定の画像の角度を、たとえば別の角度からの画像を選択することによって任意の角度からの画像を鑑賞することもできるようになっている。
【発明の開示】
【発明が解決しようとする課題】
【０００４】
しかしながら、上記の従来の画像記録再生装置では、ユーザーがスライドショーを鑑賞しているとき、特定の画像にズーム操作やアングル調整操作などを施そうとした場合に、ユーザーが指示を与えてから画像記録再生装置がユーザー所望の特殊再生機能を稼働させるまでに所定の処理時間を必要とし、その間にスライドショーのために予め設定された一枚の画像を表示する一定時間が経過してしまい、結果的にズームやアングル調整の施されたユーザー所望の画像を再生することなく次の画像に切り替わってしまったり、あるいは再生されてもほんの瞬間的にしか再生されないという不都合の発生する可能性があった。
【０００５】
本発明は、ユーザーがスライドショーを鑑賞しているとき、特定の画像にズーム操作やアングル調整操作などを施そうとした場合に、上記のようなユーザーの意思に反して途中で次画像に切り替わってしまうという不都合を解消する画像記録再生装置を提供するものである。
【課題を解決するための手段】
【０００６】
本発明は、上記の課題を達成するために、縮小表示される画像から複数または一つのの画像を選択する画像選択手段と、当該画像選択手段によって選択された画像を一定時間拡大表示する画像表示手段と、当該画像表示手段が画像の一定時間拡大表示を開始するごとにカウントを開始する計時手段と、当該計時手段によるカウントが設定値に達したとき、未表示の選択された画像を検索しこれを当該画像表示手段により一定時間拡大表示させ、未表示の選択された画像がない場合は、画像表示をクリアーする次画像検索手段と、当該計時手段によるカウントが設定値に達する以前に、表示中の画像に特殊表示操作を行う特殊表示操作手段と、当該特殊表示操作手段が作動したとき、当該計時手段によるカウントを開始値まで復帰させる計時復帰手段とからなる画像記録再生装置を提供し、かつ、当該特殊表示操作手段が、ズーム表示、回転表示、アングル調整表示を行う手段であるようにした画像記録再生装置を提供する。
【発明の効果】
【０００７】
本発明により、ユーザーが画像記録再生装置により複数の画像を一定時間間隔で逐次拡大表示、いわゆるスライドショー表示を行っているときに、特定の画像にズーム表示、回転表示、アングル調整表示の操作をした場合、所望のズーム表示、回転表示、アングル調整表示の画像が表示されないうちに次の画像に切り替わってしまったり、あるいは再生されてもほんの瞬間的にしか再生されないという不都合を解消することができる。
【発明を実施するための最良の形態】
【０００８】
本発明による画像記録再生装置の最良の実施形態を図１のブロック図により説明する。図１は、ＤＶＤなどの画像記録再生装置のマイコン１００、記録再生媒体２００、ＴＶ等のスライドショー表示装置３００、およびリモコン４００とから構成されており、マイコン１００は、リモコン４００からの指示を受ける指示部１０１、画像記録再生装置の作動を制御する制御部１０２、記録再生媒体２００に記録された画像のなかからスライドショーの対象画像としてユーザーが所望する画像を選択する選択部１０３、選択された画像を拡大表示する時間を設定する表示時間設定部１０４、選択された画像がスライドショー表示装置３００に表示されてからの時間を計測する計時部１０５、スライドショーを実行するスライドショー実行部１０６、およびスライドショーで表示中の特定の画像をズーム表示、回転表示、アングル調整表示させる特殊表示操作実行部１０７とから構成されている。
【０００９】
以下、本発明による実施例を図２ないし４により説明する。ここで、図２は当該画像記録再生装置によるスライドショーの表示を説明するフローチャート、図３はサムネイル表示画面の一例、図４はスライドショーメニュー画面の一例である。図２のステップＳ１０１で先ずユーザーが、リモコン４００により、図４のスライドショーメニュー画面においてサムネイル表示の開始を選択すると、図３のサムネイル表示画面３１０が表示される。このサムネイル表示画面３１０には、記録再生媒体で再生された複数の静止画像がＡからＪまで計１０枚のすべての画像がスライドショー表示装置３００に表示される。次にユーザーが図３のサムネイル表示画面３１０のＡＬＬを押すと、選択部１０３により、ＡからＪまでの計１０枚の画像がスライドショーの対象画像として選択される。またここでユーザーがＡＬＬではなく選択を押し、ＡからＪまでの画像のうち所望枚数の画像をリモコン４００の操作により選択すると、選択部１０３により所望の画像を選択することができる。次にユーザーは図４のスライドショーメニュー画面３２０でスライド表示時間を設定する。デフォルト数値は５秒間と設定してあるが、ユーザーのリモコン４００操作により、スライドショー画像一枚当たりの表示時間を所望の長さに変更することができる。スライドショーを鑑賞しようとするユーザーは、図４のスライドショーメニュー画面３２０でリモコン４００を操作し、スライドショー開始を押す（Ｓ１０２のＹｅｓ）。制御部１０２がスライドショー実行部１０６に対してスライドショー開始の指示を出し、画像記録再生装置３００にスライドショーが開始される。
【００１０】
制御部１０２は、選択部１０３が選択したスライドショー対象画像をスライドショー表示装置３００に表示させるよう、スライドショー実行部１０６を制御することにより、ユーザー所望の第一の画像がスライドショー表示装置３００に表示される（Ｓ１０３）。また制御部１０２は、表示時間設定部１０４により予め設定された表示タイマーのカウントをクリアーすることにより、設定された表示タイマーを実行する（Ｓ１０４）。計時部１０５は、第一の画像がスライドショー表示装置３００に表示された時点から当該第一の画像の表示時間の測定を開始する（Ｓ１０５）。
【００１１】
第一の画像を鑑賞中のユーザーが当該第一の画像をズームでさらに拡大してみようと思い立ちリモコン４００でズーム操作を指示した場合（Ｓ１０６のＹｅｓ）、制御部１０２は特殊表示操作実行部１０７に対し、スライドショー表示装置３００に表示中の第一の画像をズームするよう制御することにより、ズームされた当該第一の画像がスライドショー表示装置３００に表示される（Ｓ１０９）。次にＳ１０４のステップに戻り、制御部１０２が表示時間設定部１０４により予め設定されたスライドショーの拡大表示のための一定時間を再度設定し（Ｓ１０４）、第一の画像のズーム表示画面がスライドショー表示装置３００に表示された時点から計時部１０５が当該第一の画像のズーム表示画面の表示時間の測定を開始する（Ｓ１０５）。これにより、当該第一の画像のズーム表示画面の表示時間は、予め設定されたスライドショーの拡大表示のための一定時間を確保することができ、ユーザーは所望のズーム表示画面を落ち着いて鑑賞することができる。
【００１２】
ステップＳ１０６で、ユーザーが第一の画像を鑑賞中に、当該第一の画像にズーム表示、回転表示、アングル調整表示などの特殊表示を所望しない場合（Ｓ１０６のＮｏ）、制御部１０２は計時部１０５によりカウントされる経過時間と表示時間設定部１０４により設定された当該スライドショーの拡大表示のための設定時間とを比較する（Ｓ１０７）。ここで、当該経過時間が当該設定時間に到達していない場合（Ｓ１０７のＮｏ）、ステップＳ１０６に戻り、当該第一の画像の表示が継続し、当該経過時間が当該設定時間に到達するまでＳ１０６とＳ１０７のステップが繰り返される。
【００１３】
当該経過時間が当該設定時間に到達すると（Ｓ１０７のＹｅｓ）、制御部１０２は選択部１０３により選択された画像のなかに次画像があるか否かをチェックする（Ｓ１０８）。ここで次画像があれば（Ｓ１０８のＹｅｓ）、ステップ１０３に戻り、第二の画像がスライドショー表示装置３００に表示され（Ｓ１０３）、以降、第一の画像と同じステップを繰り返すことにより、ユーザーは複数の画像を、ある画像についてはズーム操作もしくはアングル調整操作などの特殊表示操作を施しつつ、またある画像についてはそうした特殊表示操作を施すことなしに、安定した時間間隔でスライドショーを鑑賞することができる。
【００１４】
また、ステップＳ１０８で次画像がない場合（Ｓ１０８のＮｏ）、当該スライドショーは終了する（Ｓ１１１）。
【００１５】
以上の実施形態では、ＤＶＤ記録再生装置でのスライドショーを想定したが、スライドショーおよび特殊再生機能を備えた装置であれば、メディアの如何にかかわらず、本発明を適用することができる。すなわち、ＤＶＤ±Ｒ、ＤＶＤ±Ｒ／Ｗ、ブルーレイＤＶＤなどの光ディスク、ハードディスクなどの磁気ディスク、メモリーモジュールなどのメディアを用いるものにも適用できる。
【図面の簡単な説明】
【００１６】
【図１】本実施例の構成を示すブロック図
【図２】本実施例の流れを説明するフローチャート
【図３】サムネイル表示画面の一例
【図４】メニュー画面の一例
【符号の説明】
【００１７】
３００  スライドショー表示装置
３１０  サムネイル表示画面
３２０  スライドショーメニュー画面
【図１】
2005277580.tif 000003
【図２】
2005277580.tif 000004
【図３】
2005277580.tif 000005
【図４】
2005277580.tif 000006